(57)【特許請求の範囲】
【請求項１】
複数の擁壁ブロックを積み重ねて壁体を構成し、当該壁体の背面側に盛り土を充填し、かつ前記盛り土内に複数の補強部材を埋設するとともに前記擁壁ブロックに連結してなる補強土擁壁構造において、前記擁壁ブロックは表面フランジと背面フランジとウェブとから自立し得る形状に形成され、前記表面フランジ、背面フランジまたはウェブの少なくとも一の上端面に連結溝が形成され、前記ウェブの上端面に突起が、前記ウェブの下面に凹部がそれぞれ形成され、前記補強部材はＬ字状またはＴ字状に形成された先端側の定着部を前記擁壁フロックの連結溝に挿入することにより前記擁壁ブロックに連結されてなることを特徴とする補強土擁壁構造。
【請求項２】
複数の擁壁ブロックを積み重ねて壁体を構成し、当該壁体の背面側に盛り土を充填し、かつ前記盛り土内に複数の補強部材を埋設するとともに前記擁壁ブロックに連結してなる補強土擁壁構造において、前記擁壁ブロックは表面フランジと背面フランジとウェブとから自立し得る形状に形成され、前記表面フランジ、背面フランジまたはウェブの少なくとも一の上端面に連結溝が形成され、前記ウェブの上端面に突起が、前記ウェブの下面に凹部がそれぞれ形成され、前記補強部材は前記擁壁ブロックに連結金具を介して連結され、前記連結金具は長方形のリング状に形成され、その対向する一方の長辺を前記擁壁フロックの連結溝に挿入することにより前記擁壁ブロックに連結され、他方の長辺に補強部材が連結されてなることを特徴とする補強土擁壁構造。
【請求項３】
補強部材は、Ｌ字状またはＴ字状に形成された先端側の定着部を隣接する２〜３、あるいはそれ以上の前記擁壁フロックの連結溝に跨って挿入することにより前記擁壁ブロックに連結されてなることを特徴とする請求項１記載の補強土擁壁構造。
【請求項４】
連結金具は、当該連結金具の対向する一方の長辺を隣接する２〜３、あるいはそれ以上の前記擁壁フロックの連結溝に跨って挿入することにより前記擁壁ブロックに連結されてなることを特徴とする請求項２記載の補強土擁壁構造。
【請求項５】
擁壁ブロックは、目地部が左右交互にずれるように積み重ねられてなることを特徴とする請求項１〜４のいずれかに記載の補強土擁壁構造。
【請求項６】
隣接する擁壁ブロック間に、表面フランジと背面フランジとウェブとからなる空洞部が設けられてなることを特徴とする請求項１〜５のいずれかに記載の補強土擁壁構造。
【請求項７】
補強部材は、擁壁ブロックの複数段おきに埋設されてなることを特徴とする請求項１〜６のいずれかに記載の補強土擁壁構造。
【請求項８】
補強部材の後端部に定着部材が取り付けられてなることを特徴とする請求項１〜７のいずれかに記載の補強土擁壁構造。
【発明の詳細な説明】
【０００１】
【発明の属する技術分野】
この発明は、擁壁ブロックを複数積み重ねて壁体を構築し、この壁体の背面に盛り土を充填するととともに、この盛り土内に鉄筋グリット等からなる複数の補強部材を埋設し、かつ擁壁ブロックに連結してなる補強土擁壁構造に関する。
【０００２】
【従来の技術及び発明が解決しようとする課題】
例えば図１６は補強土構造物の一例を示し、図において、壁体を構成する壁体パネル２０として、薄くて大きなコンクリートパネルが使用されている。壁体パネル２０はその背面側に盛り土２１を充填するとともに盛り土２１内に鉄筋グリットや鋼材などからなる補強部材２２を埋設し、かつこの補強材２２で一枚々固定しながら積み重ねて設置されている。
【０００３】
しかし、壁体パネル２０はそのままでは自立性がなく、しかも大きくて重いために持ち運びに重機を必要とするだけでなく、施工に際してパネルの安定性を保持しにくく、壁面が変形しやすい等の課題があった。
【０００４】
また、最近では、例えば図１７に図示するように、薄い壁面パネルより安定したコンクリートブロック２３の使用も検討されているが、この種のコンクリートブロック２３は単に直方体形に形成されているものが多く、たしかに安定性はあるものの盛り土２１との一体化が図れないだけでなく、非常に重くて施工性がわるい等の課題があった。
【０００５】
この発明は、以上の課題を解決するためになされたもので、特に施工性と経済性にすぐれ、しかも強度的に安定した補強土擁壁構造を提供することを課題とする。
【０００６】
【課題を解決するための手段】
請求項１記載の補強土擁壁構造は、複数の擁壁ブロックを積み重ねて壁体を構成し、当該壁体の背面側に盛り土を充填し、かつ前記盛り土内に複数の補強部材を埋設するとともに前記擁壁ブロックに連結してなる補強土擁壁構造において、前記擁壁ブロックは表面フランジと背面フランジとウェブとから自立し得る形状に形成され、前記表面フランジ、背面フランジまたはウェブの少なくとも一の上端面に連結溝が形成され、前記ウェブの上端面に突起が、前記ウェブの下面に凹部がそれぞれ形成され、前記補強部材はＬ字状またはＴ字状に形成された先端側の定着部を前記擁壁フロックの連結溝に挿入することにより前記擁壁ブロックに連結されてなることを特徴とするものである。
【０００７】
請求項２記載の補強土擁壁構造は、複数の擁壁ブロックを積み重ねて壁体を構成し、当該壁体の背面側に盛り土を充填し、かつ前記盛り土内に複数の補強部材を埋設するとともに前記擁壁ブロックに連結してなる補強土擁壁構造において、前記擁壁ブロックは表面フランジと背面フランジとウェブとから自立し得る形状に形成され、前記表面フランジ、背面フランジまたはウェブの少なくとも一の上端面に連結溝が形成され、前記ウェブの上端面に突起が、前記ウェブの下面に凹部がそれぞれ形成され、前記補強部材は前記擁壁ブロックに連結金具を介して連結され、前記連結金具は長方形のリング状に形成され、その対向する一方の長辺を前記擁壁フロックの連結溝に挿入することにより前記擁壁ブロックに連結され、他方の長辺に前記補強部材が連結されてなることを特徴とするものである。
【０００８】
請求項３記載の補強土擁壁構造は、請求項１記載の補強土擁壁構造において、補強部材は、Ｌ字状またはＴ字状に形成された先端側の定着部を隣接する２〜３、あるいはそれ以上の前記擁壁フロックの連結溝に跨って挿入することにより前記擁壁ブロックに連結されてなることを特徴とするものである。
【０００９】
請求項４記載の補強土擁壁構造は、請求項２記載の補強土擁壁構造において、連結金具は、当該連結金具の対向する一方の長辺を隣接する２〜３、あるいはそれ以上の前記擁壁フロックの連結溝に跨って挿入することにより前記擁壁ブロックに連結されてなることを特徴とするものである。
【００１０】
請求項５記載の補強土擁壁構造は、請求項１〜４のいずれかに記載の補強土擁壁構造において、擁壁ブロックは、目地部が左右交互にずれるように積み重ねられてなることを特徴とするものである。
【００１１】
請求項６記載の補強土擁壁構造は、請求項１〜５のいずれかに記載の補強土擁壁構造において、隣接する擁壁ブロック間に、表面フランジと背面フランジとウェブとからなる空洞部が設けられてなることを特徴とするものである。
【００１２】
請求項７記載の補強土擁壁構造は、請求項１〜６のいずれかに記載の補強土擁壁構造において、補強部材は、擁壁ブロックの複数段おきに埋設されてなることを特徴とするものである。
【００１３】
請求項８記載の補強土擁壁構造は、請求項１〜７のいずれかに記載の補強土擁壁構造において、補強部材の後端部に定着部材が取り付けられてなることを特徴とするものである。
【００１５】
【発明の実施の形態】
発明の実施の形態１．
図１〜図５は、この発明の一例を示し、図において、符号１は擁壁の壁体Ａを構成している擁壁ブロック、２は複数の擁壁ブロック１からなる壁体Ａの背面側に充填されている盛り土、３は盛り土２内に埋設されて擁壁ブロック１を盛り土２の先端に固定している補強部材、そして、符号４は補強部材３の後端部に取り付けられて補強部材３を盛り土２内に定着させている定着部材である。
【００１６】
擁壁ブロック１は無筋コンクリート製、または鉄筋や補強繊維などで補強された補強コンクリート製で、そのままでも安定して自立できる形状に形成されている。
【００１７】
図示するように擁壁ブロック１は、例えば壁体Ａの表面側に位置する表面フランジ１ａと表面フランジ１ａの背面側に位置する背面フランジ１ｂと表面フランジ１ａと背面フランジ１ｂ間にあって両者を連結する２枚のウェブ１ｃとから形成されている。
【００１８】
表面フランジ１ａ、背面フランジ１ｂおよびウェブ１ｃはいずれも、十分な剛性を保持すべく一定の厚さに形成され、特にウェブ１ｃは表面フランジ１ａ側が一番厚く、背面フランジ１ｂ側に除々に薄く形成され、また表面フランジ１ａは背面フランジ１ｂより長く形成され、かつ表面フランジ１ａと背面フランジ１ｂの両端には表面フランジ１ａ側から背面フランジ１ｂ側に先細りとなるようにテーパが形成されている。
【００１９】
さらに、表面フランジ１ａ、背面フランジ１ｂおよびウェブ１ｃの各上端面にはそれぞれの軸方向に連続する連結溝１ｄ、１ｅ、１ｆがそれぞれ形成され、これらの凹溝１ｄ、１ｅ、１ｆは互いに一本の連結溝に連通している。
【００２０】
また、表面フランジ１ａの表面には、必要に応じて、例えば図５に図示するように多数の縦溝を設けたり、表面フランジ１ａの表面を凸曲面状に形成する等して必要な装飾がなされている。また、ウェブ１ｃの上端面には連結溝１ｆの両側に位置して突起１ｇが形成されている。
【００２１】
こうして形成された擁壁ブロック１は、盛り土２の先端に壁体Ａの横方向に互いに隣接し、かつ壁体Ａの上方に複数段に積み重ねて設置されている。
【００２２】
その際特に、擁壁ブロック１は横方向に隣接する表面フランジ１ａ，１ａ間の目地部が上下方向に連続しないで左右に交互にずれる、いわゆるやぶれ目地になるように積み重ねられている。
【００２３】
また、例えば図２（ｂ）に図示するように、各擁壁ブロック１の表面フランジ１ａと背面フランジ１ｂの下面に下側に位置する擁壁ブロック１の連結溝１ｄと１ｅにそれぞれ係合する凸部１ｈが形成され、またウェブ１ｃの下面には下側に位置する擁壁ブロック１の突起１ｇが係合する凹部１ｉが形成され、さらに上下の擁壁ブロック１，１間の、例えば表面フランジ１ａ，１ａ間の当接面に互いに係合し合う係合キー１ｊと係合穴１ｋが形成されている。
【００２４】
複数の擁壁ブロック１がこのように形成されていることで、上下の擁壁ブロック１どうしを強固に連結することができ、これにより擁壁ブロック１どうしが互いに拘束され合って壁体Ａの一体化が図られている。
【００２５】
なお、上下擁壁ブロック１どうしを連結する、これらの部分は必ずしも全て必要であるわけではなく、例えば係合キー１ｊと係合穴１ｋは必要に応じて設けられていればよい。
【００２６】
また、横方向に隣接する各擁壁ブロック１，１間に、双方の表面フランジ１ａと背面フランジ１ｂとウェブ１ｃとからなる空洞部ａがそれぞれ形成され、この格空洞部ａ内にも盛り土２が入念に転圧して充填されていることで、各擁壁ブロック１の背面フランジ１ｂとウェブ１ｃが盛り土２内に埋め込まれ、これにより擁壁ブロック１と盛り土２との一体化が図られているので、地震などで擁壁ブロック２が動いて壁面が変位したり、一部の擁壁ブロック１が崩れたりするのを防止できる。
【００２７】
さらには、擁壁ブロック１の背面側に充填された盛り土２が移動して弛む等といった事態も防止することができる。また、擁壁ブロック１が空洞部ａを有することで擁壁ブロック１の軽量化も図られ、運搬、組み立て等の作業性が容易になる。
【００２８】
なお擁壁ブロック１としては、運搬などの取り合い易さ、施工性などを考慮すると、通常、高さが２０〜１５０cm、幅が３０〜１００cm、奥行きが２０〜６０ｃm 程度、さらに重さが２０〜１５０kg程度に成形されているのが好ましい。
【００２９】
補強部材３は、擁壁ブロック１の表面フランジ１ａの連結溝１ｄに水平に挿入されている定着部３ａとウェブ１ｃの連結溝１ｆに先端側が挿入され、それより後方側が盛り土２内に奥深く水平に埋設されているアンカー部３ｂとから略Ｌ字状に形成され、例えば丸鋼や異形棒鋼などの鉄筋で形成されている。
【００３０】
補強部材３の定着部３ａとアンカー部３ｂの先端部分が連結溝１ｄと１ｆに連続して挿入されていることで、補強部材３は上側の擁壁ブロック１の重量で拘束され、しかも連結溝１ｄおよび１ｆ内の周面との摩擦によって引き抜かれる心配がなく、補強部材３をきわめて簡単な構造で擁壁ブロック１に確実・強固に連結することができる。
【００３１】
また特に、上側に位置する擁壁ブロック１の突部１ｈが下側に位置する擁壁ブロック１の連結溝１ｄに係合されていることで、補強部材３の定着部３ａが凸部１ｈで強く押し付けられて強固に定着される。上下擁壁ブロック１をキー介して固定することもできる。
【００３２】
また、盛り土２による土圧の大きさに応じて、補強部材３の定着部３ａは壁体Ａの横方向に隣接する２〜３個、あるいはそれ以上の擁壁ブロック１（表面フランジ１ａ）の連結溝１ｄに跨がって挿入されている。
【００３３】
このように定着部３ａが長く形成されていることで、壁体Ａの横方向に隣接する擁壁ブロック１どうしを互いに連結できるとともに、一本の補強部材３で複数の擁壁ブロック１を固定することができて、きわめて経済的であり、また施工性が著しく増す。
【００３４】
また、補強部材３の径、アンカー部３ｂの長さ等は、盛り土２の種類、盛り土２側から壁体Ａが受ける土圧の大きさ等に基いて決められている。なお、特にアンカー部３ｂは、例えば図３に図示するように連結溝１ｄに挿入されている先端部分とそれより後方の盛り土２内に埋設されている部分とを別々に形成し、両者がターンバックル５で一本に連結された構造になっていてもよい。
【００３５】
また、定着部３ａとウェブ１ｃの連結溝１ｆに挿入されているアンカー部３ｂの先端部分のみを丸鋼などの鉄筋で形成し、盛り土２内に埋設される後方部分を鋼材や鉄筋グリッド等の他の部材で形成し、両者を連結した構造になっていてもよい。
【００３６】
また、補強部材３の鉄筋からなる定着部３ａは連結溝１ｄ内で安定しているため、その上側に位置する擁壁ブロック１が土圧による応力集中で前にずれても、その下側の擁壁ブロック１の連結溝１ｄ内の定着部３ａは連結されたままで、破壊されることがなく、むしろ擁壁ブロック１が前に移動することで土圧による応力集中を緩和して安定した土留め擁壁を保ち続けることができる。
【００３７】
なお図４は、補強部材の他の例を示し、補強部材３は、擁壁ブロック１の表面フランジ１ａの連結溝１ｄに水平に挿入されている定着部３ａと、ウェブ１ｃの連結溝１ｆに先端側が挿入され、それより後方側が盛り土２内に奥深く水平に埋設されているアンカー部３ｂとから略Ｔ字状に形成されている。
【００３８】
特に定着部３ａは、アンカー部３ｂの先端部からアンカー部３ｂの両側に水平に伸び、１個の擁壁ブロック、あるいは壁体Ａの横方向に隣接する２〜３個、あるいはそれ以上の擁壁ブロック１（表面フランジ１ａ）の連結溝１ｄに跨がって挿入されている。
【００３９】
このような補強部材３はＬ字状またはＴ字状に折り曲げるだけで擁壁ブロック１に連結することが可能であり、また構造的にきわめて強く、しかも加工も簡単できわめて経済的である。
【００４０】
定着部材４は、金属プレートまたはコンクリート板などで形成され、中央部分にアンカー部３ｂの端部を通すスリットまたは孔４ａが形成されている。
【００４１】
さらに、補強部材３は、全ての擁壁ブロック１のそれぞれに連結される必要はなく、擁壁ブロック１に作用する盛り土２の土圧に対して充分な引き抜き抵抗力が得られれば、複数段おきに設置されていてもよい。
【００４２】
むしろ、補強部材３は少ないほうが経済的であり、また盛り土２の転圧に際して邪魔にならず、施工する上でも好ましい。通常、補強部材３の設置間隔は0.5 〜1.5 ｍ間隔程度が好ましい。
【００４３】
発明の実施の形態２．
図６〜図９は、この発明の他の例を示し、特に擁壁ブロック１を固定する補強部材６として金網または鉄筋グリットが使用され、また補強部材６は連結金具７を介して擁壁ブロック１に連結されている。
【００４４】
連結金具７は横に細長い長方形のリング状に形成され、鉄筋などで形成されてけいる。また、連結金具７は対向する長辺のうちの一方の長辺７ａが擁壁ブロック１の背面フランジ１ｂの上端に形成された連結溝１ｅに挿入されていることで擁壁ブロック１に連結されている。
【００４５】
そして、他方の長辺７ｂに補強部材６が結束線で結束したり、あるいは例えば図７（ｃ）に図示するように、補強部材６の長手鉄筋６ａの先端に折り曲げ部（フック）６ｂを形成し、この折り曲げ部６ｂを連結金具７の長辺７ｂに懸架したりすることで連結されている。その他の構成は先の例と全く同じである。
【００４６】
なお、連結金具７は原則として、１個の擁壁ブロック１につき一個ずつ取り付けられているが、例えば図９に図示にするように連結金具７を横長に形成し、２ないし３個、あるいはそれ以上の擁壁ブロック１に跨がって一個の連結金具７を取り付けるようにしてもよい。
【００４７】
そうすることで、壁体Ａの横方向に隣接する複数の擁壁ブロック１どうしを互いに連結できるとともに、一本の連結金具７で複数の擁壁ブロック１と補強部材６を連結することができる。
【００４８】
発明の実施の形態３．
図１０と図１１は、同じくこの発明の他の例を示し、特に擁壁ブロック１のウェブ１ｃが２枚、表面フランジ１ａと背面フランジ１ｂ間にこれらの軸方向に所定間隔をおいて略平行に形成されている。
【００４９】
また、表面フランジ１ａと背面フランジ１ｂ間に２枚のウェブ１ｃを有することで、擁壁ブロック１の中央に表面フランジ１ａと背面フランジ１ｂと２枚のウェブ１ｃとからなる空洞部ａが形成されている。
【００５０】
また、表面フランジ１ａの表面部に均等な厚さで盛り上がる凸面部１ｍを有し、その表面に例えば格子模様などの装飾が施されている。
【００５１】
さらに、図１０に図示するものにあっては、表面フランジ１ａ、背面フランジ１ｂおよびウェブ１ｃの各上端面にそれぞれの軸方向に連続する連結溝１ｄ、１ｅ、１ｆがそれぞれ形成され、これらの連結溝１ｄ、１ｅ、１ｆは互いに一本の凹溝に連通している。
【００５２】
また、図１１に図示するものにあっては、表面フランジ１ａの上端面にのみ、その軸方向に連続する連結溝１ｄが形成され、また表面フランジ１ａの略中央と背面フランジ１ｂの略中央にこれらの軸直角方向に連続する連結溝１ｎがそれぞれ形成されている。
【００５３】
こうして形成された擁壁ブロック１は、盛り土２の先端に壁体Ａの横方向に互いに隣接し、かつ壁体Ａの上方に複数段に積み重ねて設置されている。
【００５４】
また、横方向に隣接する擁壁ブロック１，１間に、双方の表面フランジ１ａと背面フランジ１ｂとウェブ１ｃとで形成される各空洞部ａ、および各擁壁ブロック１の空洞部ａ内に盛り土２が入念に転圧して充填されている。
【００５５】
さらに、図１０に図示する擁壁ブロック１にあっては、Ｌ字形に形成された補強部材３によって盛り土２の先端に固定され、図１１に図示する擁壁ブロック１にあってはＴ字形に形成された補強部材３によって盛り土２の先端に固定されている。その際、補強部材３のアンカー部は連結溝１ｎを通って盛り土２内に延びている。
【００５６】
なお、補強部材３の定着部３ａが、１個の擁壁ブロックまたは壁体Ａの横方向に隣接する２〜３個、あるいはそれ以上の擁壁ブロック１（表面フランジ１ａ）の連結溝１ｄに跨がって挿入されていることで、壁体Ａの横方向に隣接する擁壁ブロック１どうしを互いに連結できる点、一本の補強部材３で複数の擁壁ブロック１を固定することができる等の点は、先の例で説明したものと同じである。
【００５７】
発明の実施の形態４．
図１２、図１３および図１４は、いずれも擁壁ブロックの他の例を示し、図１２（ａ）に図示するものは、特に背面フランジがなく、表面フランジ１ａとその背面側に突設された２枚のウェブ１ｃを有し、また表面フランジ１ａと２枚のウェブ１ｃとから表面フランジ１ａの背面側に開口する溝状の空洞部ａを有し、さらに表面フランジ１ａとウェブ１ｃの上端面にその軸方向に連続する連結溝１ｄと１ｆをそれぞれ有して形成されている。
【００５８】
また、図１２（ｂ）または（ｃ）に図示するようにＴ形状またはＬ形状の補強部材３によって盛り土の先端に固定されている。また、空洞部ａに盛り土が入念に転圧して充填されている。その他の構成は先の例で説明したものと同じである。
【００５９】
図１３（ａ）と図１４（ａ）に図示するものは、特にウェブ１ｃを３枚有し、また３枚のウェブ１ｃを有することにより２個の空洞部ａを有して形成されている。さらに、外側に位置する２枚のウェブ１ｃは表面フランジ１ａ側が一番厚く、背面フランジ１ｂ側に徐々に薄く形成されている。
【００６０】
また、図１３（ａ）に図示する擁壁ブロック１は、図１３（ｂ）に図示するようにＴ形状の補強部材３によって盛り土の先端に固定されている。また、空洞部ａに盛り土が入念に転圧して充填されている。
【００６１】
また、図１４（ａ）に図示する擁壁ブロック１は、図１４（ｂ）に図示するようにジオテキスタイルなどからなる補強部材６によって盛り土２の先端に固定されている。その際、補強部材６は連結金具７を介して擁壁ブロック１に連結され、連結金具７の一辺７ａが連結溝１ｆに係合され、連結金具７の他辺７ｂに補強部材６の一端が巻き付けられている。その他の構成は先の例で説明したものと同じである。
【００６２】
発明の実施の形態５．
図１５（ａ），（ｂ）は、同じく擁壁ブロックの他の例を示し、図１５（ａ）に図示するものは、二方向に連続する擁壁のコーナ部に設置されるもので、単純な直方体形に形成され、かつ表面側に面する２つの面に装飾がなされている。
【００６３】
また、図１５（ｂ）に図示するものは、擁壁の最上段を覆う傘木用として設置されるもので、表面側に装飾がなされている。
【００６４】
【発明の効果】
この発明は以上説明した通りであり、特に擁壁ブロックが表面フランジと背面フランジとこの両者を連結するウェブとを有して形成されていることで、横方向に隣接する各擁壁ブロック間に、双方の表面フランジと背面フランジとウェブとからなる空洞部がそれぞれ形成され、この空洞部内にも盛り土が入念に転圧して充填されていることにより、各擁壁ブロックの背面フランジとウェブが盛り土内に埋め込まれてアンカーの働きをなすので、擁壁ブロックと盛り土との一体化が図られて擁壁ブロックが変位しにくく、きわめて安定した補強土擁壁を提供できる。
【００６５】
また、いずれの擁壁ブロックも空洞部を有するので、軽量化による施工性の向上が図れる。
【００６６】
また、擁壁ブロックは擁壁ブロックの例えば表面フランジの連結溝に水平に挿入されている定着部と、それより後方の盛り土内に奥深く埋設されているアンカー部とからなる補強部材で盛り土の先端に簡単に固定することができる。
【００６７】
さらに、補強部材の定着部は、壁体の横方向に隣接する２〜３個、あるいはそれ以上の擁壁ブロック（表面フランジ）の連結溝に跨がって挿入することにより、壁体の横方向に隣接する擁壁ブロックどうしを互いに連結できるとともに、一本の補強部材で複数の擁壁ブロックを固定することができる。
【００６８】
また、補強部材は、上下擁壁ブロックの接触面に形成された連結溝に係合されていることで、上下擁壁ブロックの接触面に大きな摩擦抵抗が得られることにより、上下擁壁ブロックは大きな土圧を受けても簡単にずれることはなく、この点からもきわめて安定した補強土壁を提供できる。
【図面の簡単な説明】
【図１】擁壁の一部斜視図である。
【図２】（ａ）は擁壁ブロックと補強部材を示す斜視図、（ｂ）は積み重ねられ上下擁壁ブロックの結合状態を示す（ａ）におけるイ−イ線断面図である。
【図３】擁壁ブロックと補強部材を示す斜視図である。
【図４】擁壁ブロックと補強部材を示す斜視図である。
【図５】擁壁ブロックと補強部材を示す斜視図である。
【図６】擁壁の一部斜視図である。
【図７】（ａ），（ｂ）は擁壁ブロック、連結金具および補強部材の一部を示す斜視図、（ｃ）は連結金具と補強部材の一部斜視図である。
【図８】（ａ），（ｂ）は擁壁ブロック、連結金具および補強部材の一部を示す斜視図である。
【図９】擁壁の一部斜視図である。
【図１０】（ａ）は擁壁の一部斜視図、（ｂ）は擁壁ブロックと補強部材を示す斜視図である。
【図１１】（ａ）は擁壁の一部斜視図、（ｂ）は擁壁ブロックと補強部材を示す斜視図である。
【図１２】（ａ）は擁壁ブロックの他の例を示す斜視図、（ｂ），（ｃ）は擁壁ブロックに補強部材を取り付けた状態を示す斜視図である。
【図１３】（ａ）は擁壁ブロックの他の例を示す斜視図、（ｂ）は擁壁ブロックに補強部材を取り付けた状態を示す斜視図である。
【図１４】（ａ）は擁壁ブロックの他の例を示す斜視図、（ｂ）は擁壁ブロックに補強部材を取り付けた状態を示す斜視図である。
【図１５】（ａ），（ｂ）は擁壁ブロックの他の例を示す斜視図である。
【図１６】擁壁の従来例を示す縦断面図である。
【図１７】擁壁の従来例を示す縦断面図である。
【符号の説明】
Ａ  壁体
１  擁壁ブロック
１ａ  表面フランジ
１ｂ  背面フランジ
１ｃ  ウェブ
１ｄ  連結溝
１ｅ  連結溝
１ｆ  連結溝
１ｇ  突起
１ｈ  凸部
１ｉ  凹部
１ｊ  係合キー
１ｋ  係合穴
１ｍ  凸面部
１ｎ  連結溝
２  盛り土
３  補強部材
３ａ  定着部
３ｂ  アンカー部
４  定着ブロック
４ａ  スリットまたは孔
５  ターンバックル
６  補強部材
６ａ  縦鉄筋
６ｂ  折り曲げ部（フック）
７  連結金具
７ａ  一方の長辺
７ｂ  他方の長辺
【図１】
0003788772.tif 000002
【図２】
0003788772.tif 000003
【図３】
0003788772.tif 000004
【図４】
0003788772.tif 000005
【図５】
0003788772.tif 000006
【図６】
0003788772.tif 000007
【図７】
0003788772.tif 000008
【図８】
0003788772.tif 000009
【図９】
0003788772.tif 000010
【図１０】
0003788772.tif 000011
【図１１】
0003788772.tif 000012
【図１２】
0003788772.tif 000013
【図１３】
0003788772.tif 000014
【図１４】
0003788772.tif 000015
【図１５】
0003788772.tif 000016
【図１６】
0003788772.tif 000017
【図１７】
0003788772.tif 000018